(57)【要約】【課題】従来の漏水調査方法としては、水道の検針業務時に携帯型漏水発見装置を携行し、量水器に乗せ本部にて、専門家がチェックし、漏水の可能性があるところを後日、現地に行き調査していた。この方法によれば漏水が無いか或いは有る可能性があるかのどちらかが分かる程度であり場所も正確に分からなかった。【解決手段】そこで、携帯型漏水発見装置において、本発明の主要構成であるＳＤメモリードライブ回路、ＳＤメモリー等の記憶装置及びＧＰＳモジュールを内蔵させ、漏水信号及び位置情報をＳＤメモリー等に記録し、それを本部にて専門家が再生してチェックすることにより、専門家が現地に行って漏水チェックをする必要がなくなる。ＧＰＳにより、漏水箇所も正確に分かる。作業の低コスト化が計れることを特徴とした時間積分式漏水発見装置を提供するものである。【選択図】図１
2013068587.tif 000002
【特許請求の範囲】
【請求項１】
微小な漏水振動音を検出できるセンサーを水道管の露出部（量水器、制水弁、消火栓等）に取り付け、一定時間検出した漏水音を時間積分して、その積分値から漏水の有無を検査できる携帯型積分式漏水発見装置において、前記漏水発見装置（基盤図示せず）（１９）に内蔵させる加速度センサー（以下漏水捕捉器と称す）（１）より取得した漏水音信号を劣化させることなく内蔵のＳＤメモリードライブ回路（７）とＳＤメモリー（８）の記憶素子に記憶させる回路とＧＰＳアンテナ（５）でＧＰＳ衛星からの信号を捕捉し、ＧＰＳモジュール（６）で絶対位置情報に変換され前記のＳＤメモリーカード（８）に記憶することを特徴とした携帯時間積分式漏水発見装置。
【請求項２】
微小な漏水振動音を検出できるセンサーを水道管の露出部（量水器、制水弁、消火栓等）に取り付け、一定時間検出した漏水音を時間積分して、その積分値から漏水の有無を検査できる携帯型積分式漏水発見装置において漏水発見装置（基盤図示せず）（１９）に内蔵させる前記加速度センサー（以下、漏水捕捉器と称す）（１）より取得した漏水音信号をＧＰＳアンテナ（５）とＧＰＳモジュール（６）のＧＰＳ測位回路（６）を有し、取得した位置情報を内蔵のＳＤメモリードライブ回路（７）とＳＤメモリー（８）の記憶素子に記憶させる回路を有することを特徴とする携帯型時間積分式漏水発見装置。
【請求項３】
前記請求項１、請求項２記載の記憶素子に記憶させた漏水音信号及び位置情報を専用の再生装置により再生し、漏水音信号からは波形情報表示ドライブ回路（１２）により波形で、またＤ／Ａ変換回路（９）整形増幅回路（１０）により音で、位置情報からは測位情報表示ドライブ回路（１３）と現場地図情報（１４）、現場地図情報ドライブ回路（１５）とにより地図上に量水器等の漏水音捕捉場所がモニターできることを特徴とする漏水情報モニター装置。
【請求項４】
前記請求項１、請求項２、請求項３記載の漏水発見装置（１９）を内蔵させる装置ケースにおいて、前記装置ケース（２０）の底面に漏水音捕捉器（１）と該ケースの側部にＳＤメモリー（８）を嵌入する嵌入口（２１）を設け前記ケースの上面に表示部（２３）と該ケース内に入力部のＧＰＳモジュール（６）を内蔵したことを特徴とする携帯型の漏水発見装置ケース。
【発明の詳細な説明】
【技術分野】
【０００１】  本発明は、携帯型積分式漏水発見装置に関する。【０００２】      特に本発明はある一定時間内の設定閾値漏水音レベルの時間積分率を求めることにより、漏水管路の絞り込みを行う機能に、漏水音波形と漏水音音聴のモニター機能及びＧＰＳによる測位機能を加えて、より高精度な漏水管路の絞り込みができる漏水発見装置である。
【背景技術】
【０００３】  従来の時間積分方式の漏水発見装置の概略を第２図に示す。装置は漏水音捕捉器（加速センサー以下漏水捕捉器と称す）（１）とシグナルコンディショナー（２）、時間積分式漏水判定演算回路（３）、漏水有無結果数値表示回路（４）で構成され、その間をケーブルで連結したり、現場の状況に応じて内蔵一体化する。【０００４】  本体表示部（２）〜（４）は漏水音捕捉器（１）で捕捉した振動音を増幅、濾波、標本、Ａ／Ｄ変換するシグナルコンディショナー（２）時間積分率判定を行う時間積分式漏水判定演算回路（３）、漏水有無結果を数値表示、記憶する漏水有無結果数値表示回路（４）から構成される。【０００５】  この装置は携帯型で、水道管メーター検針員が数秒間、量水器（メーター）上部のガラスの上に。漏水音捕捉器（１）を接触させるだけで、測定値の数値記憶ができる。【０００６】  後日、記憶数値が有る一定以上の箇所を漏水の可能性があると判断し、このデータをもとに漏水調査対処管路絞り込み、高価な専門技術者がすべての現場を調査する必要がないよう、経費節減のための効率化を図っていた。
【発明の概要】
【発明が解決しようとする課題】
【０００７】  以上に述べた従来の時間積分式の携帯型漏水発見装置では、水道メーター検針時に漏水調査専門外の検針員が機械的に振動音を捕捉するため、真の漏水振動音以外に、自動車通過音、工事中の重機等の音、ファンモーターの音、犬の鳴き声等が時間積分され、演算結果の数値が記憶される。【０００８】  このため、後日、記憶された測定値をもとに、漏水調査対象管路を絞り込もうとしても、従来の限られた時間内の時間積分値からだけでは、真の漏水箇所を選別することは不可能であった。【０００９】  また、場所の特定は記録されたデータ番号、測定時間等の相対的でシリアルな情報のため、測定データと現場地図とのマッチング作業に相当の時間が必要であった。【００１０】  このような課題を有しているため、現地調査場所の特定に時間を費やされ、現地調査が不必要な箇所も専門技術者が調査を強いられ、効率化のための障害となっていた。【００１１】  本発明は、このような従来の装置が有していた問題を解決しようとするものであり、ＳＤメモリーを装置に（１９）内蔵させ、現場の生の漏水振動音を記憶し、またＧＰＳにより取得した経度緯度の絶対位置を記憶する。【００１２】  後に事務所等で漏水音モニター装置で捕捉した漏水振動音を再生し、漏水音聴、漏水音波形モニターを実施する。【００１３】  更に、あらかじめ内蔵させた地図情報に、ＧＰＳ機能により取得した位置情報を重ね合わせ、時間積分率測定値との総合判断により、現場での漏水調査箇所の特定作業が軽減される。【００１４】  本発明は、より高精度な漏水管路の絞り込みを行う携帯型漏水発見装置を実現することを目的とするものである。
【課題を解決する手段】
【００１５】  上記課題を解決するために本発明の〔請求項１〕について以下に説明する。微小な漏水振動音を検出できるセンサーを水道管の露出部（量水器、制水弁、消火栓等）に取り付け、一定時間検出した漏水音を時間積分して、その積分値から漏水の有無を探査できる携帯型積分式漏水発見装置において、前記漏水発見装置（１９）に内蔵させる加速度センサー（以下、漏水捕捉器と称す）（１）より取得した漏水音信号を劣化させることなくシグナルコンディショナー（２）で得られたデジタル信号がＳＤメモリードライブ回路（７）へ送られ、内蔵されたＳＤメモリーカード（８）に記憶されることを特徴とする本発明である。
【００１６】  また、第２の課題解決手段は、本発明の〔請求項１〕同様に微小な漏水振動音を検出できるセンサーを水道管の露出部（量水器、制水弁、消火栓等）に取り付け、一定時間検出した漏水音を時間積分して、その積分値から漏水の有無を探査できる携帯型積分式漏水発見装置において、前記漏水発見装置（１９）に内蔵させて加速度センサー（以下漏水捕捉器と称す）（１）より取得した漏水音信号をシグナルコンディショナー（２）でデジタル化した信号と共にＧＰＳアンテナ（５）とＧＰＳモジュール（６）のＧＰＳ測位回路で、取得した位置情報とを内蔵のＳＤメモリードライブ回路（７）とＳＤメモリー（８）の記憶素子に記憶させる回路を有することを特徴とする本発明である。
【００１７】  また、第３の課題解決手段は、本発明の〔請求項１〕〔請求項２〕記載の記憶素子に記憶させた漏水音信号及び位置情報を専用の再生装置により再生し、漏水信号からは波形情報表示ドライブ回路（１２）により波形として、Ｄ／Ａ変換回路（９）及び整形増幅回路（１０）により音として、位置情報からは測位情報表示ドライブ回路（１３）と、現場地図情報（１４）から現場地図情報ドライブ回路（１５）とにより、地図上に量水器の場所がモニターできることを特徴とする、漏水情報モニター装置の発明である。
【００１８】  上記第１の課題解決手段、第２の課題解決手段、第３の課題解決手段による作用は次の通りである。水道メーターのガラス面に接触させた漏水音捕捉器により漏水振動音が捕捉される。シグナルコンディショナー（２）で増幅、濾波、標本化、Ａ／Ｄ変換されてデジタル信号となる。
【００１９】  このデジタル信号は時間積分式漏水判定演算回路（３）で設定された漏水音レベル閾値を越える時間積分率が演算され、漏水有無結果数値表示回路（４）で数値化され記憶される。
【００２０】  本発明の第１発明の要旨である。シグナルコンディショナー（２）のデジタル信号がＳＤメモリードライブ回路（７）へ送られ、内蔵されたＳＤメモリーカード（８）に記憶される。
【００２１】    また、ＧＰＳアンテナ（５）でＧＰＳ衛星からの信号を捕捉し、ＧＰＳモジュール（６）で絶対位置情報（経度緯度）に変換され、ＳＤメモリーカード（８）に記憶される。
【００２２】  上記第２発明、第３発明の要旨である。携帯型時間積分式漏水発見装置（１９）に内蔵されているＳＤメモリー（８）に記憶された現場の漏水情報を、後で事務所等でデジタル信号の形でＳＤドライブ回路（７）で再生し、一方はＬＣＤコントローラーの中の波形情報表示ドライブ回路（１２）へ送られ、他方はＤ／Ａ変換回路（９）へ送られ増幅回路（１０）で増幅整形して、漏水音聴ヘッドホーン（１６）で音聴できることを、また再生位置情報は、測位情報表示ドライブ回路（１３）と現場情報（１４）、現場地図情報ドライブ回路（１５）とにより、現場地図モニター例（１８）のように現場地図上に絶対の番号と積分率測定値が表示できることを要旨としている本発明である。
【発明の効果】
【００２３】  上述したように本発明の携帯型時間積分式漏水発見装置（基盤図示せず）（１９）は、ＳＤメモリー（８）を装置に内蔵させ、現場の生の漏水振動音を記憶し、またＧＰＳにより取得した緯度経度の絶対位置情報を記憶することにより、後に事務所等で漏水音モニター装置で捕捉した漏水振動音を再生し、漏水音聴、漏水音波形モニターの分析、解析を実施する。
【００２４】  更に、あらかじめ内蔵させた地図情報に、ＧＰＳ機能により取得した位置情報を重ね合わせ、時間積分率測定値との総合判断により、著しく現場での漏水調査箇所の特定作業が軽減され、一段と効率を上げることができる。
【００２５】  また、本発明は、上水道の配給水管上の漏水の有無を予備調査の段階で高精度に絞り込む効果もある。専門技術者が現場に出ることなく収集した情報で漏水の有無が高精度に把握できる。
【００２６】  また〔請求項４〕の課題解決手段は〔請求項１〕〔請求項２〕〔請求項３〕によりその課題を達成するための装置ケース（２０）である。
【００２７】  装置ケース（２０）の底部に漏水音捕捉器（加速度センサー）（１）と前記ケース内に内蔵させる入力部のＧＰＳモジュール（６）とケース側部にはＳＤメモリー（８）を自在に嵌入できる嵌入口（２１）を設けケース上面に表示部（２３）を設け構成された本発明の装置ケースである。
【図面の簡単な説明】
【００２８】
【図１】本発明の第１発明を適用する携帯型時間積分式漏水発見装置の実施例のブロック図
【図２】従来の携帯型時間積分式漏水発見装置のブロック図
【図３】本発明の第２、第３発明を適用する漏水音モニター装置の実施例のブロック図
【図４】本発明の携帯型時間積分式漏水発見装置のケースの斜視図
【発明を実施するための形態】
【００２９】  上記課題を解決するために、本発明を適用する漏水発見装置の実施例を図１、図３、図４により説明する。
【００３０】  本発明の実施装置システム構成は図１、図３で示すように水道メーターのガラス面に接触させた漏水音捕捉器（１）により漏水振動音が捕捉される。
【００３１】  その振動音はシグナルコンディショナー（２）により、増幅、濾波標本化、Ａ／Ｄ変換されてデジタル信号となる。
【００３２】  このデジタル信号は従来どおり、時間積分式漏水判定演算回路（３）で設定された漏水音レベル閾値を越える時間積分率が演算され、漏水有無結果数値回路（４）で数値表示化され記憶される。
【００３３】  本発明の〔請求項１〕のシステム構成は、シグナルコンディショナー（２）のデジタル信号がＳＤメモリードライブ回路へ送られ
【００３４】  漏水発見装置（１９）の基盤（図示せず）に内蔵されたＳＤメモリーカード（８）に記憶される構成と
【００３５】  ＧＰＳアンテナ（５）でＧＰＳ衛星からの信号を捕捉し、ＧＰＳモジュール（６）で絶対位置情報（緯度経度）に変換され、ＳＤメモリードライブ回路（７）を通じ、ＳＤメモリーカード（８）に記憶される構成とした。
【００３６】  本発明〔請求項２〕〔請求項３〕は漏水情報モニター装置システム構成を特徴とした発明である。
【００３７】  前記発明のシステム構成を図３でもって示すと漏水発見装置（１９）の基盤（図示せず）に内蔵しているＳＤメモリー（８）に記憶された現場の漏水情報を
【００３８】  後で事務所等でデジタル信号の形でＳＤドライブ回路（７）で再生し、一方はＬＣＤコントローラーの中の波形情報ドライブ回路（１２）測位情報表示ドライブ回路（１３）へ送られる構成と
【００３９】  それぞれ漏水音波形表示例（１７）及び現場地図モニター例（１８）のように表示される構成と
【００４０】  他方はＤ／Ａ変換回路（９）へ送られ増幅回路（１０）で増幅整形して漏水音聴ヘッドホン（１６）で音聴できる構成とした本発明である。
【００４１】  図４は本発明〔請求項４〕の漏水発見装置を内蔵させる、携帯型装置ケース（２０）の斜視図である。以下にこれについて説明をする。
【００４２】  図４の本発明の装置ケース（２０）は〔請求項１〕〔請求項２〕〔請求項３〕の時間積分式漏水発見装置において、前記漏水音発見システムを駆動させる漏水音捕捉器（加速度センサー）と本発明の主要部（漏水発見装置（１９））を内蔵させる基盤（図示せず）に具備の漏水情報モニターを駆動させる。
【００４３】  ＧＰＳモジュール（２２）とＳＤメモリー（８）の回路構成を装置ケース（２０）内に内蔵させ、該ケースの側部に前記メモリー（８）が嵌入できる嵌入口（２１）を設け、前記の装置とケースとを一体的構成とした本発明の携帯型ケースである。
【符号の説明】
【００４４】  １  漏水音捕捉器（加速度センサー）
５  ＧＰＳアンテナ
６  ＧＰＳモジュール
７  ＳＤメモリードライブ回路
８  ＳＤメモリー
１２  情報表示ドライブ回路
１３  測位情報表示回路
１５  浸場地図情報ドライブ回路
１９  漏水発見装置
２０  装置ケース
２１  嵌入口
２３  表示部
【図１】
2013068587.tif 000003
【図２】
2013068587.tif 000004
【図３】
2013068587.tif 000005
【図４】
2013068587.tif 000006